(57)【特許請求の範囲】
【請求項１】
壁パネル間に形成された縦目地と横目地とからなるクロス目地のシール構造であって、下側壁パネルの上端面に当該下側壁パネルの側周に沿って形成された凸条と上側壁パネルの下端面に当該下側壁パネルの側周に沿って形成された溝とを嵌合させてなる横目地を有するものにおいて、
前記縦目地内及び前記横目地内にこれらの目地に沿って挟入されたバックアップ材と、
前記縦目地内及び前記横目地内における前記バックアップ材の前面に充填されたシーリング材と、
前記縦目地に隣接させた状態で前記横目地内における前記バックアップ材の背面側でかつ前記凸条の上段から室内側の当該凸条の下段に掛けて挟入され、一主面側の中央部に窪みが設けてなる断面Ｚ型の目地塞ぎゴムと、
を備えたこと特徴とするクロス目地のシール構造。
【発明の詳細な説明】
【０００１】
【発明の属する技術分野】
本発明は、壁パネル間に形成された縦目地と横目地とからなるクロス目地のシール構造に関する。
【０００２】
【従来の技術】
壁パネルを外壁として建築物躯体（例えば、鉄骨梁等）へ止め金具で固定する場合、上下に隣接する壁パネル間に横目地が形成され、左右に隣接する壁パネル間に縦目地が形成される。そして、横目地と縦目地とでクロス目地が構成される。図６は、上記クロス目地における縦目地部分から見た横目地部分の側断面図である。この図に示すように、上下に隣接する下側壁パネル１ａと上側パネル１ｂとの間に形成される横目地３は、下側壁パネル１ａの上端面に形成された凸条５と、上側壁パネル１ｂの下端面に形成された溝７とを嵌合させた構成になっている。この横目地３内における凸条５の室内側下段には、横目地３の延設方向に沿って環状ガスケット９が挟入され、凸条５の上段には防水パッキング材１１が挟入されている。また、横目地３内における凸条５の室外側下段にはバックアップ材１３が挟入され、その前面にはシーリング材１５が充填されている。
【０００３】
そして、ここでの図示は省略したが、上記縦目地は壁パネルにおける平坦な側端面間で形成される。そして、この縦目地には、バックアップ材が挟入され、その前面にシーリング材が充填されている。
以上のように横目地及び縦目地をシーリング材によってシールすることで、これらの目地部から建築物躯体側への雨水の浸入を阻止している。
【０００４】
【発明が解決しようとする課題】
しかしながら、上記構成のクロス目地のシール構造には以下のような課題があった。
すなわち、上記シール構造では、経年劣化等によりリーシング材と壁パネルとの間に剥離等が生じると、雨水が躯体側へ浸入してしまう。この際、縦目地のシーリング材の劣化によって縦目地内に浸入した水分は、図６に示したように縦目地に当接する横目地３のガスケット９配置部から横目地３の延設方向に向かって浸入して広範囲に拡散される。そして、横目地３から室内側にこの水分が浸入してしまう。
そこで本発明は、縦目地内から横目地内を通って室内側に水分が浸入することを防止できるクロス目地のシール構造を提供することを目的とする。
【０００５】
【課題を解決するための手段】
上記目的を達成するための本発明は壁パネル間に形成された縦目地と横目地とからなるクロス目地のシール構造であり、下側壁パネルの上端面に形成された凸条と上側壁パネルの下端面に形成された溝とを嵌合させてなる横目地を有するものにおいて、クロス目地内に挟入されたバックアップ材と、その前面に充填されたシーリング材と、横目地内に挟入された断面Ｚ型の目地塞ぎゴムとを有している。上記目地塞ぎゴムは断面Ｚ型であり、横目地内におけるバックアップ材の背面側でかつ凸条の上段から室内側下段に掛けて、縦目地に隣接させた状態で設けられている。また、目地塞ぎゴムの一主面側の中央部には、窪みが設けられている。
【０００６】
上記構成のシール構造では、横目地の凸条の上段から室内側下段に掛けては、目地塞ぎゴムによって縦目地に対して横目地内が塞がれた状態になっている。このため、シーリング材に欠陥が生じて縦目地内に水分が侵入した場合、横目地の凸条の上段から室内側下段に掛けての部分からの横目地側への水分の浸入が、上記目地塞ぎゴムによって阻止される。しかも、目地塞ぎゴムの一主面側の中央部に窪みが設けられていることによって、この目地塞ぎゴムは横目地内に挟入された状態で容易に圧縮変形される。
【０００７】
【発明の実施の形態】
以下、本発明のクロス目地のシール構造を適用した実施の形態を図面に基づいて説明する。
図１は本発明を適用したクロス目地のシール構造の一例を示す側面図であり、縦目地側から見た横目地部分の側断面図である。また、図２は上記横目地部分の要部斜視図である。そして、図３は縦目地部分の水平断面図であり、図４はこの縦目地のシールに用いるガスケットの断面図である。さらに、図５はこのシール構造に用いる壁パネルの斜視図である。
【０００８】
図５に示すように、壁パネル２１は、外壁２３と内壁２５との間に横桟２７を設けてなる中空壁パネルであり、壁パネル２１の対向する側周面に貫通する複数の中空部２９を有している。また、壁パネル２１において、横桟２７と略平行な一方の周端面には壁パネル２１の側周に沿って凸条３１が形成されており、他方の周端面には壁パネル２１の側周に沿って溝３３が形成されている。このような構成の壁パネル２１は、例えば押し出し成形によって形成されたものである。
【０００９】
上記構成の壁パネル２１は、外壁２３が室外側に配置され、かつ凸条３１が形成された周端面が上になるようにして建築物躯体に取り付けられる。そして、図１の側断面図に示すように、上下で隣接する壁パネル２１同士は、凸条３１と溝３３とを嵌合させて配置され、これらの壁パネル２１間に横目地３５が形成されることになる。また、図３に示すように、左右で隣接する壁パネル２１同士は、中空部２９の開口端を対向させた状態になり、これらの壁パネル間２１間に縦目地３７が形成されることになる。そして、上記縦目地３７と横目地３５とでクロス目地が構成される。
【００１０】
本実施形態のクロス目地の横目地部分のシール構造は、図１の側断面図及び図２の要部斜視図に示したように、横目地３５内に、室内側（すなわち建築物躯体側）から順に、目地塞ぎゴム３９、バックアップ材４１及びシーリング材４３を挟み込んだ構成になっている。また、上記横目地３５内における凸条３１の上段には、目地塞ぎゴム３９に隣接させて環状ガスケット４５または防水パッキングが挟入されている。図面においては環状ガスケット４５が挟入されている場合を示し、以下環状ガスケットまたは防水パッキングを代表して環状ガスケットと記す。さらに、ここでは図示を省略したが、横目地３５内における凸条３１の室内側下段には、目地塞ぎゴム３９に隣接させて環状ガスケットや防水パッキングを挟入しても良く、また空目地の状態にしても良い。
【００１１】
上記目地塞ぎゴム３９は、垂直断面Ｚ型に形成されており、横目地３５の凸条３１の上段から室内側下段に掛けてを塞ぐ状態で、縦目地に隣接させて設けられている。この目地塞ぎゴム３９は、例えばシリコーン系の樹脂等からなるものであり、横目地３５に沿って５０ｍｍ程度の幅Ｗを有しており、その厚みは上下の壁パネル２１間に設けられる隙間の設計値に対して多少厚めに設定（例えば７ｍｍ〜１２ｍｍ）されている。また、目地塞ぎゴム３９の一主面側（図面においては上面側）における幅Ｗ方向の中央部分には、横目地３５に挟入した目地塞ぎゴム３９の変形容易性を確保するための窪み４４が設けられている。さらに、目地塞ぎゴム３９における環状ガスケット４５と隣接する面には、環状ガスケット４５の配置位置を規制する突片３９ａが設けられている。
【００１２】
また、上記バックアップ材４１は、ウレタン系の樹脂等からなる一連のものであり、横目地３５における凸条３１の室外側下段に、横目地３５の延設方向に沿って挟入されている。
さらに、上記シーリング材４３は、バックアップ材４１の前面（すなわち室外側面）の横目地３５内に充填されている。このシーリング材４３は、シリコーン系やポリサルファイド系の樹脂からなるものであり、上下の壁パネル２１間が隙間無く塞がれるように充填されている。
そして、上記環状ガスケット４５は、例えばエチレンプロピレンゴム（ＥＰＤＭ）のような材料からなり、横目地３５の延設方向に沿って挟入されている。
【００１３】
上記のように横目地３５をシールする場合には、下側の壁パネル２１の凸条３１上に、目地塞ぎゴム３９及び環状ガスケット４５を接着固定した後、この壁パネル２１の凸条３１にもう一枚の壁パネル（すなわち、上側の壁パネル）の溝（３３）を嵌合させるようにして２枚の壁パネル２１を上下に隣接させて設ける。次に、２枚の壁パネル２１間に形成された横目地３５内に、室外側からバックアップ材４１を挟入した後、その前面にシーリング材４３を充填する。
【００１４】
また、本実施形態のクロス目地の縦目地部分のシール構造は、図３に示すように、縦目地３７内に、室内側（すなわち建築物躯体側）から順に、ガスケット４７、充填材４９、バックアップ材４１及びシーリング材４３を挟み込んだ構成になっている。
【００１５】
上記ガスケット４７は、例えばシリコーン系の樹脂等からなる一連のチューブ状ものであり、縦目地３７内における最も室内側に縦目地３７の延設方向に沿って挟入されている。図４は、ガスケット４７の長さ方向に対する垂直断面図である。この図に示すように、このガスケット４７は、例えば３つの通路が内設された一連のチューブ状であり、その側周壁には長手方向に沿った一連のヒレ４７ａが複数枚備えられている。各ヒレ４７ａは、適度な可撓性を有するものであり、ヒレ４７ａの先端部まで含めたガスケット４７の径は、縦目地３７の幅よりも大きく設定されていることとする。そして、図３に示したように、このような構成のガスケット４７を室外側から縦目地３７内に挟入することによって、ヒレ４７ａが縦目地３７の内壁に沿って室外側に撓んだ状態になる。この結果、ヒレ４７ａと縦目地３７の内壁とで、縦目地３７の延設方向に沿った複数の通路が形成される。
【００１６】
また、上記充填材４９は、ロックウールやセラミックウール等からなるものであり、ガスケット４７の前面（すなわち室外側面）における縦目地３７内に詰め込まれている。
そして、上記バックアップ材４１は、上記横目地（３５）内に挟入されたと同様のウレタン系の樹脂等からなる一連のものであり、縦目地３７の延設方向に沿って挟入されている。
さらに、上記シーリング材４３は、横目地（３５）内に充填されたと同様のシリコーン系やポリサルファイド系の樹脂からなるものであり、バックアップ材４１の前面の縦目地３７内に充填されている。
【００１７】
上記のように縦目地をシールする場合には、左右に隣接する壁パネル２１間の縦目地３７内に、室外側からガスケット４７、充填材４９、バックアップ材４１を順次挟入した後、その前面にシーリング材４３を充填する。
【００１８】
上記構成のクロス目地のシール構造では、図１に示したように、横目地３５の凸条３１の上段から室内側下段に掛けてが、目地塞ぎゴム３９によって縦目地（３７）に対して塞がれた状態になっている。このため、縦目地（３７）のシーリング材４３に欠陥が生じて縦目地（３７）内に水分が侵入しても、上記目地塞ぎゴム３９によって、横目地３５の凸条３１の上段から室内側下段に掛けての部分から横目地３５側にこの水分が浸入し、横目地３５に沿ってこの水分が拡散されることが阻止される。したがって、縦目地（３７）内から横目地（３５）内を通って室内側に水分が浸入することを防止できる。また、横目地３５のシーリング材４３に欠陥が生じて横目地３５内に浸入した水分は、凸条３１とその上段の環状ガスケット４５とによって、室内側への浸入が阻止される。しかも、目地塞ぎゴム３９の一主面側の中央部に窪み４４を設けたことによって、この目地塞ぎゴム３９は横目地３５内に挟入された状態で容易に圧縮変形される。このため、窪み４４が設けられていない場合と比較して、小さな圧縮力で目地調整を行うことができ、目地調整を容易にすることが可能になる。
【００１９】
また、図３に示したように、縦目地３７内に挟入されたガスケット４７のヒレ４７ａと縦目地３７の内壁とによって、縦目地３７の延設方向に沿った通路が形成されるため、縦目地３７内に浸入した水分はこの通路を伝わって縦目地３７の下端から排出される。さらに、上記ヒレ４７ａによって、縦目地３７における気密性が確保される。
しかも、上記シール構造では、各目地内に部材を挟入するかあるいは充填すれば良く、外側から目地を塞ぐような煩雑な作業を行ったり、そのための特別な部材を用いる必要もなく、施工性を悪化させたり部材コストを増加させることもない。
【００２０】
尚、本発明のクロス目地のシール構造における縦目地部分のシール構造は上記図３及び図４を用いて説明した構成に限定されることはなく、縦目地部分のシール構造が上記構成と異なる場合であっても、横目地３５内に挟入した目地塞ぎゴム３９によって、縦目地３７から横目地３５の室内側への水分の浸入を防止することができる。
【００２１】
【発明の効果】
以上説明したように本発明のクロス目地のシール構造によれば、横目地内における室内側に縦目地と当接させた状態で目地塞ぎゴムを設けたことで、縦目地内から横目地内の室内側への水分の浸入を防止することが可能になる。したがって、縦目地内から横目地内を通って室内側に水分が浸入することを防止できる。
【図面の簡単な説明】
【図１】本発明のクロス目地のシール構造において縦目地側から見た横目地部分の側断面図である。
【図２】クロス目地における横目地部分のシール構造を説明するための要部斜視図である。
【図３】クロス目地における縦目地部分の水平断面図である。
【図４】クロス目地における縦目地部分のシールに用いるガスケットの水平断面図である。
【図５】クロス目地を構成する壁パネルの斜視図である。
【図６】従来のクロス目地のシール構造における横目地部分の側断面図である。
【符号の説明】
２１…壁パネル、３１…凸条、３３…溝、３５…横目地、３７…縦目地、３９…目地塞ぎゴム、４１…バックアップ材、４３…シーリング材
【図１】
0003860322.tif 000002
【図２】
0003860322.tif 000003
【図３】
0003860322.tif 000004
【図４】
0003860322.tif 000005
【図５】
0003860322.tif 000006
【図６】
0003860322.tif 000007